(57)【要約】      （修正有）【課題】理想的なパッティング技術を習得するのに用いることができ、ゴルフコースにおいては正規のパターとして使用することができるパターヘッドを提供する。【解決手段】ヘッド本体１１の背後に胴部を設け、胴部には主ガイド溝２０を上面に開口して形成し、主ガイド溝２０は垂直に投影した水平面内にて打撃フェイス１１Ａのスイートスポットを通りかつ打撃フェイス１１Ａと直交する方向に延びている。主ガイド溝２０には副ガイド溝２１、２２が主ガイド溝２０と連続し、ヘッド本体１１のトウ側及びヒール側に延びて形成されている。パッティングのテイクバック時や切り返し後のストローク時に、主ガイド溝２０内に挿入された転動体が主ガイド溝２０内を転動するか、副ガイド溝２１，２２内に移動するかによってプレイヤーのテイクバック動作や切り返し後のストローク動作を確認する。【選択図】図１
2012045188.tif 000002
【特許請求の範囲】
【請求項１】
ヘッド本体の前面に打撃フェイスを形成してなるゴルフ用パターヘッドにおいて、
上記ヘッド本体（１１）の背後には胴部（１９、２７、３２）が設けられ、該胴部（１９、２７、３２）には主ガイド溝（２０、２８、３３）が胴部（１９、２７、３２）上面に開口して形成され、該主ガイド溝（２０、２８、３３）は垂直に投影した水平面内にて上記打撃フェイス（１１Ａ）のスイートスポットを通りかつ上記打撃フェイス（１１Ａ）と直交する方向に延びている一方、上記主ガイド溝（２０、２８、３３）には副ガイド溝（２１、２２、２９、３０、３４、３５）が上記主ガイド溝（２０、２８、３３）と連続しかつ上記ヘッド本体（１１）のトウ側及びヒール側に延びて形成されており、
パッティングのテイクバック時及び／又は切り返し後のストローク時に、上記主ガイド溝（２０、２８、３３）内に挿入された転動体（２５）が上記主ガイド溝（２０、２８、３３）内を転動するか又は上記主ガイド溝（２０、２８、３３）から上記副ガイド溝（２１、２２、２９、３０、３４、３５）内に移動するかによってプレイヤーのテイクバック動作及び／又は切り返し後のストローク動作を確認できるようになしたことを特徴とするゴルフ用パターヘッド。
【請求項２】
パッティングのテイクバック時及び／又は切り返し後のストローク時、垂直に投影した水平面内にて上記打撃フェイス（１１Ａ）が意図するプレーの線の方向に対して直交しかつそのストロークが意図するプレーの線の方向を指向しているときに、上記主ガイド溝（２０、２８、３３）に挿入された転動体（２５）が上記主ガイド溝（２０、２８、３３）内を転動する一方、
パッティングのテイクバック時及び／又は切り返し後のストローク時に、垂直に投影した水平面内にて上記打撃フェイス（１１Ａ）が意図するプレーの線の方向に対して直交していないか及び／又はそのストロークが意図するプレーの線の方向を指向していないときに、上記転動体（２５）が上記主ガイド溝（２０、２８、３３）から上記副ガイド溝（２１、２２、２９、３０、３４、３５）に移動するようになっている請求項１記載のゴルフ用パターヘッド。
【請求項３】
上記副ガイド溝（２１、２２）は、その平面形状が上記主ガイド溝（２０）の中央でＸ字状に交差する形状である請求項１記載のゴルフ用パターヘッド。
【請求項４】
上記副ガイド溝（２９、３０、３４、３５）は、その平面形状が上記主ガイド溝（２８、３３）の中央からヘッド本体（１１）側に向け又は胴部後端側に向けて相互の間隔が拡がる横Ｖ字状に延びる形状である請求項１記載のゴルフ用パターヘッド。
【請求項５】
上記主ガイド溝（２０、２８）はその底面がヘッド本体（１１）から後方になるに従って溝が深くなった傾斜面に形成されている請求項１ないし４のいずれかに記載のゴルフ用パターヘッド。
【請求項６】
上記副ガイド溝（２１、２２）の底面には、テイクバック方向の後端部及び切り返し後ストローク方向の前端部に、転動体（２５）が嵌まり込む段部（２１Ａ、２１Ｂ、２２Ａ、２２Ｂ）が形成されている請求項３記載のゴルフ用パターヘッド。
【請求項７】
上記主ガイド溝（２８、３３）及び副ガイド溝（２９、３０、３４、３５）の底面には、ヘッド本体（１１）側又は胴部後端側に、転動体（２５）が嵌まり込む段部（３１）が形成されている請求項４記載のゴルフ用パターヘッド。
【発明の詳細な説明】
【技術分野】
【０００１】
本発明はゴルフ用パターヘッドに関し、特に理想的なパッティング技術を習得するのに最適な用具として用いることができ、又ゴルフコースにおいては正規のパターとして使用することができるようにしたパターヘッドに関する。
【背景技術】
【０００２】
最近、ゴルフブームの影響もあって多くの人達がゴルフを楽しむようになってきた。ゴルフプレイにおいて、ドライバーショットやアイアンショットがいくら遠くに飛んでも又いくら正確に飛んでも、グリーン上で例えば３パットも４パットもしていてはスコアメイクは難しい。
【０００３】
パッティングにおいて大切なことはゴルフボールをホールに向けて正確に転がせることができるかどうかである。
【０００４】
従来、ヘッドをＴ字状に形成し、ヘッドを意図するプレーの線の方向に正確に打ち出せるようにしたパターヘッドが提案されている（特許文献１）。
【０００５】
また、ヘッドをＴ字状に形成するとともに、ヘッド頂面に穴を穿設して目の位置をゴルフボールに合わせることができるとともに、スリットを打撃フェイスに対して直角に形成して打撃フェイスの向きを意図するプレーの線の方向に正確にコントロールできるようにしたパターヘッドが提案されている（特許文献２）。
【０００６】
さらに、ヘッドの背後に均等な幅と色のインジケータバーを後方に延びて設け、ヘッドのストロークが意図するプレーの線の方向からぶれたときにインジケータがずれて見えることによりストロークのぶれを認識できるようにしたパターヘッドが提案されている（特許文献３）。
【先行技術文献】
【特許文献】
【０００７】
【特許文献１】特開昭５９−１９４７６４号公報
【特許文献２】特開２００６−３２６２１６号公報
【特許文献３】特表２００９−５２６６０１号公報
【発明の開示】
【発明が解決しようとする課題】
【０００８】
ところで、ミスパットをした多くのゴルフプレイヤーは「あ、引っ掛けた」「あ、押し出した」という結果についての言葉をよく発するが、正確なパッティング技術を習得できていれば、あるいは習得できていなくとも、自分のパッティングの癖を常日頃から確認できていれば、正確なストロークを意識してパッティングを行うことができ、結果的にパッティング技術が上達することを期待することができる。
【０００９】
しかし、特許文献１〜３記載のパターヘッドは単にヘッドをゴルフボールに対して正確な方向にストロークできるようにしたものであり、引っ掛けたり押し出たりするゴルフプレイヤーのパッティングの癖を修正できるというものではなかった。
【００１０】
本発明はかかる問題点に鑑み、理想的なパッティング技術を習得するのに最適な用具として使用することができ、ゴルフコースにおいては正規のパターとして使用することができるようにしたゴルフ用パターヘッドを提供することを課題とする。
【課題を解決するための手段】
【００１１】
そこで、本発明に係るゴルフ用パターヘッドは、ヘッド本体の前面に打撃フェイスを形成してなるゴルフ用パターヘッドにおいて、上記ヘッド本体の背後には胴部が設けられ、該胴部には主ガイド溝が胴部上面に開口して形成され、該主ガイド溝は垂直に投影した水平面内にて上記打撃フェイスのスイートスポットを通りかつ上記打撃フェイスと直交する方向に延びている一方、上記主ガイド溝には副ガイド溝が上記主ガイド溝と連続しかつ上記ヘッド本体のトウ側及びヒール側に延びて形成されており、パッティングのテイクバック時及び／又は切り返し後のストローク時に、上記主ガイド溝内に挿入された転動体が上記主ガイド溝内を転動するか又は上記主ガイド溝から上記副ガイド溝内に移動するかによってプレイヤーのテイクバック動作及び／又は切り返し後のストローク動作を確認できるようになしたことを特徴とする。
【００１２】
本発明の特徴の１つはヘッド本体の背後に主ガイド溝と副ガイド溝を設け、ヘッド本体が理想的なストロークでパッティングされたときには転動体が主ガイド溝内を転動し、ストロークにぶれが生じたときには転動体が主ガイド溝から副ガイド溝に移動するようにした点にある。
【００１３】
例えば、プレイヤーが転動体を主ガイド溝の後端に位置させてアドレスし、ストロークしたとき、打撃フェイスが意図するプレーの線の方向に対して直交しかつ意図するプレーの線の方向を指向させて真っ直ぐにテイクバックされると、転動体が主ガイド溝内を真っ直ぐ前方に転動する。切り返し後、打撃フェイスが意図するプレーの線の方向に対して直交しかつ意図するプレーの線の方向を指向させて真っ直ぐにストロークされると、転動体が主ガイド溝内を真っ直ぐ後方に転動して元の位置に戻る。
【００１４】
他方、打撃フェイスの向きやストロークのラインが間違っていると、転動体は主ガイド溝からトウ側又はヒール側の副ガイド溝に曲がって動く。
【００１５】
具体的には、パッティングのテイクバック時及び／又は切り返し後のストローク時、垂直に投影した水平面内にて打撃フェイスが意図するプレーの線の方向に対して直交しかつそのストロークが意図するプレーの線の方向を指向しているときに、主ガイド溝に挿入された転動体が主ガイド溝内を転動する一方、パッティングのテイクバック時及び／又は切り返し後のストローク時に、垂直に投影した水平面内にて打撃フェイスが意図するプレーの線の方向に対して直交していないか及び／又はそのストロークが意図するプレーの線の方向を指向していないときに、転動体が主ガイド溝から副ガイド溝に移動する。
【００１６】
これにより、ゴルフプレイヤー（以下、単に「プレイヤー」ともいう）はテイクバックや切り返し後のストロークにおける自分のパッティングの癖を常日頃から確認することができ、正確なストロークを意識してパッティングを行うことができる結果、パッティング技術が確実に上達することを期待できる。
【００１７】
また、転動体を取り外すと、パターヘッドはゴルフ規則（付属規則ＩＩ）に適合したヘッドとなるので、ゴルフコースにおいてそのまま正規のパターとして使用することができる。
【００１８】
副ガイド溝はストロークのテイクバック時及び切り返し後のストローク時に転動体が副ガイド溝に移動するような平面形状、例えば主ガイド溝の中央でＸ字状に交差するような平面形状に形成することができる。これによってテイクバック時及び切り返し後のストローク時に、打撃フェイスの向きとストロークのラインを確認することができる。
【００１９】
また、副ガイド溝はテイクバック時及び切り返し後のストローク時のいずれか一方の打撃フェイスの向きとストロークのラインを確認するものであってもよい。即ち、副ガイド溝は主ガイド溝の中央からヘッド本体側に向け又は胴部後端側に向けて相互に間隔を拡げる横Ｖ字状に延びる平面形状に形成することもできる。
【００２０】
また、主ガイド溝の底面及び副ガイド溝の底面は転動体、例えばコインが安定して転動するように編成するような平坦であることが望ましいが、製造工程上、多少弧状となっていてもよい。
【００２１】
主ガイド溝の底面は水平面であってもよいが、底面をヘッド本体から後方になるに従って溝が深くなった傾斜面に形成すると、その傾斜角度によってテイクバックのどのあたりで転動体が動き始めるかを設定することができる。
【００２２】
さらに、副ガイド溝の底面にテイクバック方向の後端部や切り返し後のストローク方向の前端部に段部を形成すると、打撃フェイスの向き及び／又はテイクバック動作や切り返し後のストローク動作を間違えたときに転動体が段部に嵌まり込んで止まるので、その間違いを確実に確認することができる。
【００２３】
副ガイド溝を、ヘッド本体側に向け又は胴部後端側に向けて相互に間隔を拡げる横Ｖ字状に延びる平面形状に形成する場合、主ガイド溝及び副ガイド溝の底面に、ヘッド本体側又は胴部後端側に転動体が嵌まり込む段部を形成することができる。
【００２４】
例えば、打撃フェイスが意図するプレーの線の方向に対して直交しかつ意図するプレーの線の方向を指向してテイクバック動作が行われ、あるいは打撃フェイスが意図するプレーの線の方向に対して直交しかつ意図するプレーの線の方向を指向して切り返し後のストロークが行われると、転動体が主ガイド溝の前端部又は後端部の段部に嵌まり込んで止まるので、テイクバック又は切り返し後のストロークが正しく行われたことを確実に確認することができる。
【００２５】
また、テイクバック時に、打撃フェイスの向きを間違えるか、テイクバックのストロークラインを間違えるか、両方を間違えた場合、転動体が副ガイド溝前端部の段部に嵌まり込んで止まるので、テイクバック動作が間違っていることを確認できる。
【００２６】
他方、切り返し後のストローク時に、打撃フェイスの向きを間違えるか、切り返し後のストロークラインを間違えるか、両方を間違えた場合、転動体が副ガイド溝後端部の段部に嵌まり込んで止まるので、切り返し後のストローク動作が間違っていることを確認できる。
【００２７】
また、転動体にコイン、例えば１００円硬貨を用いるのがよいが、他の部材、例えば円盤や球を用いることもできる。
【００２８】
さらに、胴部はヘッド本体に一体的に形成してもよく、又別体に形成し、ヘッド本体に着脱可能に取付けるようにすることもできる。後者の場合、プレイヤーのアドレスに合わせて胴部の角度を調整することができる。
【図面の簡単な説明】
【００２９】
【図１】本発明に係るゴルフ用パターヘッドの第１の実施形態の前方から見た状態を示す斜視図である。
【図２】上記実施形態の後方から見た状態を示す斜視図である。
【図３】上記実施形態を示す分解斜視図である。
【図４】上記実施形態における主ガイド溝及び副ガイド溝の平面形状（ｂ）及びコインの動き（ａ）（ｃ）を示す図である。
【図５】第２の実施形態を示す図である。
【図６】上記実施形態における主ガイド溝と副ガイド溝の平面形状及びコインの動きを示す図である。
【図７】第３の実施形態を示す概略斜視図である。
【図８】第４の実施形態を示す概略斜視図である。
【発明を実施するための最良の形態】
【００３０】
以下、本発明を図面に示す具体例に基づいて詳細に説明する。図１ないし図４は本発明に係るゴルフ用パターヘッドの好ましい実施形態を示す。パターヘッド１０ではヘッド本体１１の前面に打撃フェイス１１Ａが形成され、ヘッド本体１１のヒール側にはソケット１２が固定され、ソケット１２にはシャフト（図示せず）の下端が差し込まれて固定されるようになっている。
【００３１】
また、ヘッド本体１１の背面にはトウ側及びヒール側にロッド１３の先端が固定され、ロッド１３の後端にはプレート状のホルダー１４が固定され、ヘッド本体１１とホルダー１４の間には胴部１９が取付けられている。
【００３２】
例えば、胴部１９の先端面の中心には係止穴（図示せず）が形成され、後端面の中心にはねじ穴１７が形成され、胴部１９の係止穴にヘッド本体１１の突起１８を嵌め込み、ホルダー１４の穴１６にねじ１５を挿通して胴部１９のねじ穴１７にねじ込むことによって胴部１９はヘッド本体１１の背後に着脱可能に取付けられている。
【００３３】
また、胴部１９には主ガイド溝２０が胴部１９の上面に開口して形成されている。この主ガイド溝２０はヘッドを垂直に水平面に投影したときの当該水平面内において、打撃フェイス１１ＡのスイートスポットＳの位置を通りかつ打撃フェイス１１Ａと直交する方向に延びている。また、主ガイド溝２０には副ガイド溝２１、２２が主ガイド溝２０の中央でＸ字状に交差するように連続し、ヘッド本体１１のトウ側及びヒール側に延びて形成されている。
【００３４】
主ガイド溝２０の底面は横断面で平坦になっており、図４の（ｃ）（図４の（ｂ）のＢ−Ｂ線断面図）に示すように、胴部１９の後方になるほど溝が深くなるように、例えばヘッドのソールに対して５．７４度の角度で傾斜され、副ガイド溝２１、２２は横断面で平坦になっており、主ガイド溝２０と同様に傾斜されるとともに、副ガイド溝２１、２２の前端部及び後端部にはコイン２５が嵌まり込む段部２１Ａ、２１Ｂ、２２Ａ、２２Ｂが形成されている。
【００３５】
（正確なテイクバック動作）
例えば、プレイヤーがゴルフボールに対してアドレスしてコイン２５を主ガイド溝２０の後端に位置させ、テイクバックしたとき、コイン２５が副ガイド溝２１、２２に曲がって移動することなく、主ガイド溝２０内を真っ直ぐに前方に転動すると、プレイヤーは正確なテイクバック、つまり打撃フェイス１１Ａが意図するプレーの線の方向に対して直交した状態で意図するプレーの線の方向を指向させて真っ直ぐにテイクバックを行ったことになる。
【００３６】
（正確な切り返し後のストローク動作）
正確なテイクバックが行われた後、ヘッド１０を切り返してストロークしたとき、コイン２５が副ガイド溝２１、２２に曲がって移動することなく、主ガイド溝２０内を真っ直ぐに後方に転動して元に位置に戻ると、プレイヤーは打撃フェイス１１Ａが意図するプレーの線の方向に対して直交した状態で意図するプレー線の方向を指向させて真っ直ぐに切り返し後のストロークを行ったことになる。
【００３７】
（間違ったテイクバック動作）
他方、テイクバック時に、コイン２５が主ガイド溝２０からトウ側の副ガイド溝２１に曲がって移動して段部２１Ａに嵌まり込んで止まると、プレイヤーは打撃フェイス１１Ａを意図するプレーの線の方向に対してクローズにしてテイクバックを行ったか、インサイド側にテイクバックしたか、あるいは打撃フェイス１１Ａの向きを間違え、しかもインサイド側にテイクバックを行ったことになる。
【００３８】
逆に、テイクバック時に、コイン２５が主ガイド溝２０からヒール側の副ガイド溝２２に曲がって移動して段部２２Ａに嵌まり込んで止まった場合、プレイヤーは打撃フェイス１１Ａを意図するプレーの線の方向に対してオープンにしてテイクバックを行ったか、アウトサイド側にテイクバックしたか、あるいは打撃フェイス１１Ａの向きを間違え、しかもアウトサイド側にテイクバックを行ったことになる。
【００３９】
（間違った切り返し後のストローク動作）
テイクバック後切り返しを行ってストロークした時に、コイン２５が主ガイド溝２０からトウ側の副ガイド溝２１に曲がって移動して段部２１Ｂに嵌まり込んで止まると、プレイヤーは打撃フェイス１１Ａを意図するプレーの線の方向に対してオープンにして切り返し後のストロークを行ったか、切り返し後のストロークをインサイド側に行ったか、あるいは打撃フェイス１１Ａの向きを間違え、しかも切り返し後のストロークラインをインサイド側に間違えて行ったことになる。
【００４０】
逆に切り返し後のストロークを行った時に、コイン２５が主ガイド溝２０からヒール側の副ガイド溝２２に曲がって移動して段部２２Ｂに嵌まり込んで止まった場合、プレイヤーは打撃フェイス１１Ａを意図するプレーの線の方向に対してクローズにして切り返し後のストロークを行ったか、切り返し後のストロークをアウトサイド側に行ったか、あるいは打撃フェイス１１Ａの向きを間違え、しかも切り返し後のストロークラインをアウトサイド側に間違えて行ったことになる。
【００４１】
以上のように、テイクバック時及び切り返し後のストローク時に、コイン２５が主ガイド溝２１内を真っ直ぐに転動するか、あるいは主ガイド溝２０からトウ側又はヒール側の副ガイド溝２１、２２内に曲がって移動するかによって、パッティング時にテイクバック動作及び切り返し後のストローク動作を正確に行ったか否かを判断できる。
【００４２】
従って、プレイヤーは本例のパターヘッド１０を次のようにして理想的なパッティング技術を習得する用具として使用することができる。
１．アドレス時に主ガイド溝２０の後端にコイン２５を縦にして置く。
２．その状態からストロークに入り、テイクバックでコイン２５が真っ直ぐ前方に動いた後、切り返し後のストロークで元の位置に戻す練習を繰り返す。
３．ストローク後のコイン２５の位置によってテイクバックでのストロークラインと打撃フェイス１１Ａの向き、及び切り返し後のストロークラインと打撃フェイス１１Ａの向きを確認する。
４．パッティング時の自分のミスを的確に知ることで正しい矯正ができ、短期間の上達につながる。
【００４３】
また、本例のパターヘッド１０はコイン２５を取り除くと、正規のパターとして使用することができる。
【００４４】
図５及び図６は第２の実施形態を示す。本例ではヘッド本体１１の背面にフレーム２６がねじ２６Ａによって固定され、フレーム２６とヘッド本体１１の間には胴部２７がねじ２６Ａと突起２６Ｂによって着脱可能に取付けられている。
【００４５】
胴部２７には主ガイド溝２８が胴部２７の上面に開口して形成され、主ガイド溝２８はヘッドを水平面に垂直に投影したときの当該水平面内において、打撃フェイス１１Ａのスイートスポットの位置を通りかつ打撃フェイス１１Ａと直交する方向に延びている。
【００４６】
また、主ガイド溝２８には主ガイド溝２８の途中から前方に向けて溝幅を拡大することによって副ガイド溝２９、３０が主ガイド溝２８と連続しかつ主ガイド溝２８のトウ側及びヒール側に並べて形成されている。
【００４７】
さらに、主ガイド溝２８及び副ガイド溝２９、３０の底面は横断面で平坦になっており、胴部２７の後方になるにしたがって溝が深くなるように傾斜され、主ガイド溝２８及び副ガイド溝２９、３０の底面の前部には段部３１が形成され、コイン２５が嵌まり込むようになっている。
【００４８】
本例では、アドレス時に主ガイド溝２８の後端にコイン２５を縦にして置き、その状態からストロークに入り、図６の（ａ）（ｂ）に示されるように、テイクバックでコイン２５が真っ直ぐ前方に動くか、トウ側又はヒール側の副ガイド溝２９、３０に曲がって動くかによってテイクバックでのストロークラインと打撃フェイス１１Ａの向きを確認することができる。つまり、コイン２５が主ガイド溝２８、副ガイド溝２９、３０のいずれの段部３１に嵌まり込んで止まるによってテイクバック動作を確認することができる。
【００４９】
上記と逆に、主ガイド溝には主ガイド溝の途中から後方に向けて溝幅を拡大することによって副ガイド溝を主ガイド溝と連続しかつ主ガイド溝のトウ側及びヒール側に並べて形成すると、切り返し後のストローク動作を確認することができる。
【００５０】
図７は第３の実施形態を示し、図において図５及び図６と同一符号は同一又は相当部分を示す。本例ではフレーム２６と胴部２７が一体に形成されてヘッド本体１１に固定されている以外、第２の実施形態と同様の構造である。
【００５１】
図８は第４の実施形態を示す。本例ではヘッド本体１１の背後に平面ほぼ三角形状の受け部３６を一体的に形成し、受け部３６の上面に凹所を形成して胴部３２を嵌め込んでいる。
【００５２】
この胴部３２には主ガイド溝３３が上面に開口して形成されている。主ガイド溝３２とヘッドを水平面に垂直に投影した当該水平面内において打撃フェイスのスイートスポットの位置を通りかつヘッド本体１１の打撃フェイスに対して直交して延び、主ガイド溝３３の前後両端部はヘッド本体１１及び受け部３２の後端部にも形成されている。
【００５３】
また、主ガイド溝３３には溝幅を拡大することによって副ガイド溝３４、３５が連続するように形成されている。
【００５４】
なお、上記の例ではトウ側及びヒール側の副ガイド溝は主ガイド溝に対して対称な平面形状としたが、非対称な平面形状としても同様の作用効果を奏する。
【符号の説明】
【００５５】
１０      パターヘッド
１１      ヘッド本体
１９      胴部
２０      主ガイド溝
２１，２２      副ガイド溝
２５      コイン（転動体）
２７      胴部
２８      主ガイド溝
２９，３０      副ガイド溝
３２      胴部
３３      主ガイド溝
３４，３５      副ガイド溝
【図１】
2012045188.tif 000003
【図２】
2012045188.tif 000004
【図３】
2012045188.tif 000005
【図４】
2012045188.tif 000006
【図５】
2012045188.tif 000007
【図６】
2012045188.tif 000008
【図７】
2012045188.tif 000009
【図８】
2012045188.tif 000010